(57)【要約】【課題】  透過モードでのカラー画像、および反射モードでのモノクロカラー画像のいずれにおいても、品位の高い画像を表示可能な電気光学装置、およびそれを備えた電子機器を提供すること。【解決手段】  電気光学装置１のサブ画素５Ｒ、５Ｇ、５Ｂは、光透過部２３１およびカラーフィルタ層２５Ｒ、２５Ｇ、２５Ｂが形成された透過型カラー画像表示領域５１Ｒ、５１Ｇ、５１Ｂと、カラーフィルタ層２５Ｒ、２５Ｇ、２５Ｂが形成されていない反射型モノクロ画像表示領域５２Ｒ、５２Ｇ、５２Ｂと備え、緑色用の反射型モノクロ画像表示領域５２Ｇは、赤色用や青色用の反射型モノクロ画像表示領域５２Ｒ、５２Ｂよりも広い。また、緑色用の透過型カラー画像表示領域５１Ｇと、赤色用や青色用の透過型カラー画像表示領域５１Ｒ、５１Ｂとは面積が略等しい。【選択図】    図４
2006098452.tif 000002
【特許請求の範囲】
【請求項１】
複数の色の各々に対応する複数のサブ画素を備えた画素がマトリクス状に配置された電気光学装置において、
前記複数のサブ画素は各々、透過モードでカラー画像を表示する透過型カラー画像表示領域と、反射モードでモノクロ画像を表示する反射型モノクロ画像表示領域とを備え、
前記複数のサブ画素のうち、所定の色に対応するサブ画素における前記反射型モノクロ画像表示領域の面積が、他の色に対応するサブ画素における前記反射型モノクロ画像表示領域の面積よりも広く、
前記所定の色に対応するサブ画素における前記透過型カラー画像表示領域の面積と、前記他の色に対応するサブ画素における前記透過型カラー画像表示領域の面積が略等しいことを特徴とする電気光学装置。
【請求項２】
請求項１において、前記他の色に対応するサブ画素同士における前記反射型モノクロ画像表示領域の面積は、互いに等しいことを特徴とする電気光学装置。
【請求項３】
請求項１または２において、前記複数の色は赤色、緑色、青色であり、
前記所定の色は緑色であり、
前記他の色は赤色および青色であることを特徴とする電気光学装置。
【請求項４】
請求項３において、前記複数のサブ画素のうち、緑色に対応するサブ画素における前記反射型モノクロ画像表示領域の面積は、赤色および青色に対応するサブ画素における前記反射型モノクロ画像表示領域の面積の１．２倍から１．６倍であることを特徴とする電気光学装置。
【請求項５】
請求項３または４において、前記複数のサブ画素のうち、赤色に対応するサブ画素における前記反射型モノクロ画像表示領域の面積は、青色に対応するサブ画素における前記反射型モノクロ画像表示領域の面積の０．９倍から１．１倍であることを特徴とする電気光学装置。
【請求項６】
請求項１ないし５のいずれかにおいて、一対の基板間に電気光学物質が保持され、
当該一対の基板のうち、表示光が出射される側とは反対側の基板には、前記透過型カラー画像表示領域を規定する光透過部を備えた反射層が形成され、
前記一対の基板の間には、前記透過型カラー表示領域と平面的に重なる領域にカラーフィルタ層が形成されていることを特徴とする電気光学装置。
【請求項７】
請求項６において、前記複数のサブ画素の各々では、前記カラーフィルタ層が前記透過型カラー画像表示領域から前記反射型モノクロ表示領域の側に部分的にはみ出しており、
前記カラーフィルタ層と前記反射型モノクロ表示領域との重なり領域の面積は、当該反射型モノクロ表示領域の面積の３０％以下であることを特徴とする電気光学装置。
【請求項８】
請求項６において、前記複数のサブ画素のいずれにおいても、前記カラーフィルタ層は、前記透過型カラー画像表示領域のみに形成され、前記反射型モノクロ表示領域の側にはみ出していないことを特徴とする電気光学装置。
【請求項９】
請求項８において、前記カラーフィルタ層は、前記反射層より、表示光が出射される側とは反対側に配置されていることを特徴とする電気光学装置。
【請求項１０】
請求項１ないし９のいずれかに規定する電気光学装置を備えていることを特徴とする電子機器。
【発明の詳細な説明】
【技術分野】
【０００１】
本発明は、透過モードおよび反射モードで画像を表示可能な電気光学装置、およびこの電気光学装置を備えた電子機器に関するものである。
【背景技術】
【０００２】
カラー画像を表示するための電気光学装置では、赤色、緑色、青色の各々に対応する複数のカラー表示用のサブ画素を備えた画素がマトリクス状に配置されている。また、各サブ画素に反射層を形成するとともに、その一部を除去して光透過部を形成すれば、透過モードおよび反射モードで画像を表示することができる（例えば、特許文献１参照）。
【０００３】
但し、このような半透過反射型の電気光学装置の場合、反射モードでのカラー画像の表示は外光を利用するという性質上、その光量は限られており、品位の高いカラー画像を表示できない。そこで、光透過部に対応する領域のみにカラーフィルタ層を形成して、透過モードではカラー画像を表示し、反射モードではモノクロ画像を表示することが提案されている（例えば、特許文献２参照）。
【特許文献１】特開２００４−７７５４４号公報
【特許文献２】特開２００４−９３６７０号公報
【発明の開示】
【発明が解決しようとする課題】
【０００４】
しかしながら、赤色、緑色、青色のうち、緑色は赤色や青色と比較して視感度が高いため、カラー画像を表示しているときの階調設定のままで、モノクロ画像を表示すると、カラー画像を表示しているときと比較して緑色のサブ画素での輝度が低いように見えてしまい、不自然なモノクロ画像になってしまうという問題点がある。かといって、透過モードでのカラー画像表示から反射モードでのモノクロ画像表示に切り換わる際、各画素に供給する信号を変化させるのは駆動回路の負荷が大きくなるなどの理由から好ましくない。
【０００５】
以上の問題点に鑑みて、本発明の課題は、サブ画素の構成を変えるだけで、透過モードでのカラー画像、および反射モードでのモノクロカラー画像のいずれにおいても、品位の高い画像を表示可能な電気光学装置、およびそれを備えた電子機器を提供することにある。
【課題を解決するための手段】
【０００６】
上記課題を解決するために、本発明では、複数の色の各々に対応する複数のサブ画素を備えた画素がマトリクス状に配置された電気光学装置において、前記複数のサブ画素は各々、透過モードでカラー画像を表示する透過型カラー画像表示領域と、反射モードでモノクロ画像を表示する反射型モノクロ画像表示領域とを備え、前記複数のサブ画素のうち、所定の色に対応するサブ画素における前記反射型モノクロ画像表示領域の面積が、他の色に対応するサブ画素における前記反射型モノクロ画像表示領域の面積よりも広く、前記所定の色に対応するサブ画素における前記透過型カラー画像表示領域の面積と、前記他の色に対応するサブ画素における前記透過型カラー画像表示領域の面積が略等しいことを特徴とする。
【０００７】
本発明では、例えば、緑色（所定の色）に対応するサブ画素における反射型モノクロ画像表示領域の面積が、赤色や青色（他の色）に対応するサブ画素における反射型モノクロ画像表示領域の面積よりも広い。従って、カラー画像を表示しているときの階調設定のままで反射モードでモノクロ画像を表示した場合でも、緑色の視感度と、赤色や青色の視感度との差を反射型モノクロ画像表示領域の面積差で補正できる。それ故、カラー画像を表示しているときの階調設定のままで反射モードでモノクロ画像を表示した場合でも、カラー画像を表示しているときと比較して緑色のサブ画素での輝度が低いように見えてしまうことを回避できるので、自然な、品位の高いモノクロ画像を表示することができる。また、所定の色に対応するサブ画素における透過型カラー画像表示領域の面積と、他の色に対応するサブ画素における前記透過型カラー画像表示領域の面積が略等しいため、透過モードでも明るいカラー画像を表示することができる。
【０００８】
本発明において、前記他の色に対応するサブ画素同士における前記反射型モノクロ画像表示領域の面積は、互いに等しいことが好ましい。すなわち、赤色と青色（その他の色）は視感度が同等であるため、赤色と青色については、透過型カラー画像表示領域および反射型モノクロ画像表示領域の面積を各々略等しい設定しておけばよい。
【０００９】
本発明において、前記複数の色は赤色、緑色、青色であり、前記所定の色は緑色であり、前記他の色は赤色および青色である。
【００１０】
本発明においては、例えば、緑色に対応する視感度と、赤色や青色に対応する視感度の差に対応させて、前記複数のサブ画素のうち、緑色に対応するサブ画素における前記反射型モノクロ画像表示領域の面積は、赤色および青色に対応するサブ画素における前記反射型モノクロ画像表示領域の面積の１．２倍から１．６倍とすればよい。
【００１１】
また、赤色に対応するサブ画素における前記反射型モノクロ画像表示領域の面積は、青色に対応するサブ画素における前記反射型モノクロ画像表示領域の面積の０．９倍から１．１倍、すなわち同等とすればよい。
【００１２】
本発明においては、例えば、一対の基板間に電気光学物質が保持され、当該一対の基板のうち、表示光が出射される側とは反対側の基板には、前記透過型カラー画像表示領域を規定する光透過部を備えた反射層が形成され、前記一対の基板の間には、前記透過型カラー表示領域と平面的に重なる領域にカラーフィルタ層が形成されている。
【００１３】
本発明において、前記複数のサブ画素の各々では、前記カラーフィルタ層が前記透過型カラー画像表示領域から前記反射型モノクロ表示領域の側に部分的にはみ出している場合があり、このような場合でも、前記カラーフィルタ層と前記反射型モノクロ表示領域との重なり領域の面積は、当該反射型モノクロ表示領域の面積の３０％以下であることが好ましい。このように構成すると、反射型モノクロ表示領域で反射して出射される光量がカラーフィルタ層で低下するのを防止できるので、反射モードで明るいモノクロ画像を表示することができる。
【００１４】
本発明において、前記複数のサブ画素のいずれにおいても、前記カラーフィルタ層は、前記透過型カラー画像表示領域のみに形成され、前記反射型モノクロ表示領域の側にはみ出していないことが好ましい。このように構成すると、反射型モノクロ表示領域で反射して出射される光量がカラーフィルタ層で損失するのを完全に防止できるので、反射モードで明るいモノクロ画像を表示することができる。このように構成する場合、前記カラーフィルタ層は、前記反射層からみて、表示光が出射される側とは反対側に配置されていることが好ましい。このように構成すると、カラーフィルタは、反射層の光透過部のみから露出した状態になるので、光透過部が形成されている領域のみにカラーフィルタ層を形成したのと同様な構造となる。
【００１５】
本発明に係る電気光学装置は、携帯電話機やモバイルコンピュータなどといった電子機器に用いられる。
【発明を実施するための最良の形態】
【００１６】
以下、図面を参照し、本発明の実施の形態について説明する。なお、以下に示す各図においては、各構成要素を図面上で認識され得る程度の大きさとするため、各構成要素の寸法や比率を実際のものとは適宜に異ならせてある。
【００１７】
［実施の形態１］
（電気光学装置の全体構成）
図１は、本発明に係る電気光学装置の電気的構成を示すブロック図である。図２（ａ）、（ｂ）は、本発明の実施の形態１に係る電気光学装置（液晶装置）の斜視図および断面図であり、図３は、同電気光学装置の概略構成を示す分解斜視図である。
【００１８】
図１に示すように、電気光学装置１では、複数本の走査線２７が行（Ｘ）方向に形成され、複数本のデータ線１７が列（Ｙ）方向に形成されている。また、走査線１７とデータ線２７との各交差部分に対応して、多数のサブ画素５がマトリクス状に形成されている。各サブ画素５では、電気光学物質としてのネマチック液晶などからなる液晶層８と、二端子型アクティブ素子たるＴＦＤ素子１５とが直列接続している。ここに示す例では、液晶層８が走査線２７の側に接続され、ＴＦＤ素子１５がデータ線１７の側に接続されているが、液晶層８がデータ線１７の側に接続され、ＴＦＤ素子１５が走査線２７の側に接続されている構成であってもよい。いずれの場合も、各走査線２７は、走査線駆動回路２７００によって駆動される一方、各データ線１７は、データ線駆動回路１７０によって駆動される。
【００１９】
本形態の電気光学装置１はカラー表示用であり、各サブ画素５に所定の色を対応させて、これらの各色に対応するサブ画素５をサブピクセルとするとともに、複数のサブ画素５によって１つの画素（ピクセル）が構成される。このような電気光学装置１は、例えば、図２（ａ）、（ｂ）および図３に示すように構成される。
【００２０】
図２（ａ）、（ｂ）および図３において、本形態の電気光学装置１は、電気光学物質としての液晶層８（図２（ａ）および図３においては図示略）を第１透明基板１０（素子基板）と第２透明基板２０（カラーフィルタ基板）との間に保持する液晶パネル２と、この液晶パネル２の第２透明基板２０の側に配設されたバックライトユニット９とを有しており、液晶パネル２の略中央部領域に画像表示領域３を備えている。本形態においては、便宜上、液晶層８に対して第１透明基板１０側を、電気光学装置１による表示画像を視認する観察者が位置する側という意味で「観察側」と表記し、液晶８からみて第２透明基板２０側を「背面側」と表記する。
【００２１】
バックライトユニット９は、例えば、光透過性樹脂の成形品などからなる導光板９１と、ＬＥＤや冷陰極管などの光源９２とを備えており、この光源９２は、板状部材である導光板９１の側端面に対して光を照射する。導光板９１のうち、液晶パネル２と対向する面には、導光板９１からの光を液晶パネル２に対して一様に拡散させる拡散板（図示略）が配置されている。また、導光板９１の反対側の面には、導光板９１から背面側に出射しようとする光を液晶パネル２側に反射させる反射板（図示略）が配置されており、その側端面から入射した光を液晶パネル２の第２透明基板２０に向けて一様に出射する。
【００２２】
液晶パネル２において、第１透明基板１０は、ガラスなどの光透過性材料からなる板状部材である。第１透明基板１０の観察側の面には、位相差板３１（図２（ａ）、図３では図示略）と偏光板３２（図２（ａ）、図３では図示略）が、第１透明基板１０の側からこの順で積層されている。第１透明基板１０の液晶層８の側（背面側）の面には、ＩＴＯ（Ｉｎｄｉｕｍ  Ｔｉｎ  Ｏｘｉｄｅ）膜などからなる光透過性の画素電極１４がマトリクス状に配置されている。この各画素電極１４の間隙には、一方向（図２に示すＹ方向）に延在する複数のデータ線１７が形成されており、各画素電極１４と各データ線１７とはそれぞれ、非線形な電流−電圧特性を有する二端子型スイッチング素子であるＴＦＤ（Ｔｈｉｎ  Ｆｉｌｍ  Ｄｉｏｄｅ）素子１５を介して接続されている。また、図２（ｂ）に示すように、画素電極１４、データ線１７およびＴＦＤ素子１５が形成された第１透明基板１０の表面は、配向膜１８（図３では図示略）により覆われている。この配向膜１８は、ポリイミドなどの有機薄膜であり、電圧が印加されていないときの液晶８の配向状態を規定するためのラビング処理が施されている。
【００２３】
第２透明基板２０は、ガラスなどの光透過性材料からなる板状部材であり、その背面側には、第１透明基板１０と同様に、位相差板３６（図２（ａ）、図３では図示略）と偏光板３７（図２（ａ）、図３では図示略）が、第２の基板２０の側からこの順に積層されている。一方、第２透明基板２０の液晶層８の側（観察側）の面には、下地層２２、反射層２３、３色のカラーフィルタ層２５Ｒ、２５Ｇ、２５Ｂ、平坦化膜２６、走査線２７、および配向膜２８（図３では図示略）が第２透明基板２０の側からこの順に積層されている。これらの層のうち、配向膜２８は、配向膜１８と同様、ポリイミドなどの有機薄膜であり、電圧が印加されていないときの液晶８の配向状態を規定するためのラビング処理が施されている。
【００２４】
下地層２２は、ポジタイプの感光性樹脂などを露光・現像することにより形成されたものである。下地層２２は、画素５の略中央領域に樹脂が完全に除去された開口部２２１が形成され、観察側（表面）には、滑らかな凹凸を備えた凹凸面を有している。ここで、下地層２２は、開口部２２１が形成されていない構造、あるいは開口部２２１に下地層２２が薄く残っている構造であってもよい。
【００２５】
反射層２３は、例えば、アルミニウムまたは銀などの光反射性を有する材料を下地層２２の上層側に略一定の膜厚にて薄膜形成されたものであり、反射層２３の表面は、下地層２２の凹凸状の表面形状が反映された散乱反射面になっている。ここで、反射層２３は、下地層２２の開口部２２１に相当する部分が完全に除去された光透過部２３１を備えている。従って、本形態において、反射層２３は半透過反射層として構成されている。
【００２６】
なお、本形態では、説明の便宜上、第２透明基板２０、下地層２２、および反射層２３を含む機能性基板を「電気光学装置用基板２１」と称する。
【００２７】
カラーフィルタ層２５Ｒ、２５Ｇ、２５Ｂは、各画素５に対応して設けられた樹脂層である。各カラーフィルタ層２５Ｒ、２５Ｇ、２５Ｂは、顔料などにより赤色（Ｒ）、緑色（Ｇ）および青色（Ｂ）のいずれかにそれぞれ着色されており、その色に対応する波長の光を選択的に透過させる。なお、図３などにおける「Ｒ」、「Ｇ」および「Ｂ」は、複数の画素５の各々に、いずれの色のカラーフィルタ層２５Ｒ、２５Ｇ、２５Ｂが配置されるかを示している。
【００２８】
各サブ画素５の境界領域（画素間の境界領域）には、反射層２３の表面に遮光層２９が形成され、この遮光層２９によって、ブラックマトリクスあるいはブラックストライプが構成されている。
【００２９】
複数の走査線２７の各々は、ＩＴＯなどの光透過性導電材料により形成された帯状の電極である。走査線２７は、平坦化膜２６の上層に形成されており、上述したデータ線１７と交差する方向（図３中Ｘ方向）に延在し、第１透明基板１０上に列をなす複数の画素電極１４と対向するように形成されている。
【００３０】
以上説明した構成の第１透明基板１０および第２透明基板２０は、図１（ｂ）に示すように、シール材４０を介して貼り合わされるとともに、両基板とシール材４０とによって囲まれた領域に、例えばＴＮ（Ｔｗｉｓｔｅｄ  Ｎｅｍａｔｉｃ）型などの液晶層８が封止される。ここで、第１透明基板１０に形成された配線パターンと、第２透明基板２０に形成された配線パターンとは、所定のパターン同士、シール材４０に含まれる基板間導電粒子によって電気的に接続されている。かかる構成の下、第１透明基板１０と第２透明基板２０とにより狭持された液晶層８は、画素電極１４とこれに対向する走査線２７との間に電圧が印加されることにより、その配向方向が変化する。このような印加電圧に応じて液晶分子の配向方向が変化する領域がサブ画素５としてマトリクス状に配列されている。従って、液晶パネル２の背面側から入射したバックライトユニット９からの光（矢印Ｌ１で示す）は、開口部２２１および光透過部２３１を通過して液晶層８に入射した後、表示光（矢印Ｌ０で示す）として観察側に出射され、透過モードで画像が表示される。これに対して、液晶パネル２に観察側から外光が入射すると（矢印Ｌ２で示す）、外光は、液晶層８を透過した後、電気光学装置用基板２１により散乱反射されて、再び液晶８を透過した後、観察側に向けて表示光（矢印Ｌ０で示す）として出射され、反射モードでの画像を表示する。
【００３１】
（サブ画素５の詳細な構成）
図４（ａ）、（ｂ）はそれぞれ、本発明の実施の形態１に係る電気光学装置に用いた電気光学装置用基板の一部を拡大して模式的に示す平面図、およびＢ２−Ｂ２′線で相当する位置で電気光学装置１を切断したときの様子を模式的に示す断面図である。
【００３２】
図４（ａ）、（ｂ）に示すように、本形態の電気光学装置１では、第２透明基板２０に形成された下地層２２によって、反射層２３の表面には光散乱用の凹凸が形成されている。下地層２２は、サブ画素５の略中央に樹脂が完全に除去された矩形の開口部２２１を備えており、反射層２３は、下地層２２の開口２２１に相当する部分が除去された矩形の光透過部２３１を備えている。
【００３３】
また、光透過部２３１と平面的に重なる領域には、赤色（Ｒ）、緑色（Ｇ）、青色（Ｂ）のカラーフィルタ層２５Ｒ、２５Ｇ、２５Ｂが形成されており、このようなカラーフィルタ層２５Ｒ、２５Ｇ、２５Ｂは、光透過部２３１と重なる領域に形成され、反射層２３と重なる領域にはほとんど形成されていない。
【００３４】
このようにして、サブ画素５Ｒ、５Ｇ、５Ｂには、光透過部２３１およびカラーフィルタ層２５Ｒ、２５Ｇ、２５Ｂが形成された領域によって透過モードでカラー画像を表示するための透過型カラー画像表示領域５１Ｒ、５１Ｇ、５１Ｂが形成されている。また、サブ画素５Ｒ、５Ｇ、５Ｂには、カラーフィルタ層２５Ｒ、２５Ｇ、２５Ｂが形成されていない光反射層２３によって、反射モードでモノクロ画像を表示するための反射型モノクロ画像表示領域５２Ｒ、５２Ｇ、５２Ｂが形成されている。
【００３５】
従って、本形態の電気光学装置１では、液晶パネル２の背面側から入射したバックライトユニット９からの光（矢印Ｌ１で示す）は、透過型カラー画像表示領域５１Ｒ、５１Ｇ、５１Ｂにおいてカラーフィルタ層２５Ｒ、２５Ｇ、２５Ｂを透過した後、液晶層８に入射し、液晶層８で光変調された後、表示光（矢印Ｌ０で示す）として観察側に出射され、透過モードでカラー画像を表示する。これに対して、液晶パネル２に観察側から外光が入射すると（矢印Ｌ２で示す）、外光は、反射型モノクロ画像表示領域５２Ｒ、５２Ｇ、５２Ｂにおいて液晶層８で光変調された後、光反射層２３により散乱反射されて、再び液晶層８で光変調され、しかる後に、観察側に向けて表示光（矢印Ｌ０で示す）として出射されて、反射モードでのモノクロ画像を表示する。
【００３６】
ここで、赤色、緑色、青色のうち、緑色は赤色や青色と同一の輝度であっても、視感度が高いため、カラー画像を表示しているときの階調設定のままで反射モードでモノクロ画像を表示すると、カラー画像を表示しているときと比較して緑色のサブ画素での輝度が低いように見えてしまい、不自然なモノクロ画像になってしまう。そこで、本形態では、緑色に対応するサブ画素５Ｇにおける反射型モノクロ画像表示領域５２Ｇの面積は、赤色や青色に対応するサブ画素５Ｒ、５Ｂにおける反射型モノクロ画像表示領域５２Ｒ、５２Ｂの面積よりも広い。ここで、緑色に対応する視感度と、赤色や青色に対応する視感度の差に対応させて、緑色に対応するサブ画素５Ｇにおける反射型モノクロ画像表示領域５２Ｇの面積は、赤色および青色に対応するサブ画素５Ｒ、５Ｂにおける反射型モノクロ画像表示領域５２Ｒ、５２Ｂの面積の１．２倍から１．６倍に設定されている。
【００３７】
これに対して、緑色に対応するサブ画素５Ｇにおける透過型カラー画像表示領域５１Ｇの面積は、赤色や青色に対応するサブ画素５Ｒ、５Ｂにおける透過型カラー画像表示領域５１Ｒ、５１Ｂの面積と略等しい。従って、緑色に対応するサブ画素５Ｇの面積は、赤色および青色に対応するサブ画素５Ｒ、５Ｂの面積よりも広い。
【００３８】
また、赤色や青色に対応するサブ画素５Ｒ、５Ｂにおける透過型カラー画像表示領域５１Ｒ、１２Ｂの面積は、互いに等しい。同様に、赤色や青色に対応するサブ画素５Ｒ、５Ｂにおける反射型モノクロ画像表示領域５２Ｒ、５２Ｂの面積は、互いに等しい。例えば、赤色に対応するサブ画素５Ｒにおける反射型モノクロ画像表示領域５２Ｒの面積は、青色に対応するサブ画素５Ｂにおける反射型モノクロ画像表示領域５２Ｂの面積の０．９倍から１．１倍である。すなわち、赤色と青色は視感度が同等であるため、赤色と青色の間で透過型カラー画像表示領域５１Ｒ、５１Ｂの面積を各々略等しく設定し、反射型モノクロ画像表示領域５２Ｒ、５２Ｂの面積についても各々略等しく設定してある。
【００３９】
なお、複数のサブ画素５Ｒ、５Ｇ、５Ｂでは、カラーフィルタ層２５Ｒ、２５Ｇ、２５Ｂが透過型カラー画像表示領域５１Ｒ、５１Ｇ、５１Ｂから反射型モノクロ表示領域５２Ｒ、５２Ｇ、５２Ｂの側に部分的にはみ出している。このため、カラーフィルタ層２５Ｒ、２５Ｇ、２５Ｂの形成位置がずれた場合でも、バックライトユニット９からの光がカラーフィルタ層２５Ｒ、２５Ｇ、２５Ｂを透過せずに出射されることがない。但し、カラーフィルタ層２５Ｒ、２５Ｇ、２５Ｂと反射型モノクロ表示領域表示領域５２Ｒ、５２Ｇ、５２Ｂとの重なり領域２５０の面積は、反射型モノクロ表示領域表示領域５２Ｒ、５２Ｇ、５２Ｂの面積の３０％以下に抑えられている。
【００４０】
（本形態の主な効果）
このように構成した電気光学装置１では、緑色に対応するサブ画素５Ｇにおける反射型モノクロ画像表示領域５２Ｇの面積が、赤色や青色に対応するサブ画素５Ｒ、５Ｂにおける反射型モノクロ画像表示領域５２Ｒ、５２Ｂの面積よりも広いため、カラー画像を表示しているときの階調設定のまま、反射モードでモノクロ画像を表示した場合でも、緑色の視感度と、赤色や青色の視感度との差を反射型モノクロ画像表示領域５２Ｒ、５２Ｇ、５２Ｂの面積で補正することができる。それ故、カラー画像を表示しているときの階調設定のまま、反射モードでモノクロ画像を表示した場合でも、カラー画像を表示しているときと比較して緑色のサブ画素での輝度が低いように見えてしまうことを回避できるので、自然な、品位の高いモノクロ画像を表示することができる。
【００４１】
また、カラーフィルタ層２５Ｒ、２５Ｇ、２５Ｂと反射型モノクロ表示領域表示領域５２Ｒ、５２Ｇ、５２Ｂとの重なり領域２５０の面積は、反射型モノクロ表示領域表示領域５２Ｒ、５２Ｇ、５２Ｂの面積の３０％以下に抑えられている。従って、反射型モノクロ表示領域５２Ｒ、５２Ｇ、５２Ｂで反射して出射される光量がカラーフィルタ層２５Ｒ、２５Ｇ、２５Ｂで低下するのを防止できる。それ故、本形態によれば、反射モードで明るいモノクロ画像を表示することができる。
【００４２】
さらに、本形態においては、サブ画素５Ｒ、５Ｇ、５Ｂにおける透過型カラー画像表示領域５１Ｒ、５１Ｇ、５１Ｂの面積が互いに等しい。従って、図５に示す参考例に係る構成と比較して、透過モードでも明るくて自然なカラー画像を表示することができるという利点がある。
【００４３】
図５（ａ）、（ｂ）はそれぞれ、本発明の参考例に係る電気光学装置に用いた電気光学装置用基板の一部を拡大して模式的に示す平面図、およびＢ１−Ｂ１′線で相当する位置で電気光学装置１を切断したときの様子を模式的に示す断面図である。なお、本形態の電気光学装置は、基本的な構成が実施の形態１と同様であるため、共通する機能を有する部分には同一の符号を付してそれらの詳細な説明を省略する。
【００４４】
図５（ａ）、（ｂ）に示す例では、各サブ画素５Ｒ、５Ｇ、５Ｂの面積は互いに等しいが、緑色に対応するサブ画素５Ｇにおける反射型モノクロ画像表示領域５２Ｇの面積は、赤色や青色に対応するサブ画素５Ｒ、５Ｂにおける反射型モノクロ画像表示領域５２Ｒ、５２Ｂの面積よりも広い。従って、緑色に対応するサブ画素５Ｇにおける透過型カラー画像表示領域５１Ｇは、赤色や青色に対応するサブ画素５Ｒ、５Ｂにおける透過型カラー画像表示領域５１Ｒ、５１Ｂの面積よりも狭い。このように構成した場合も、緑色の視感度と、赤色や青色の視感度との差を反射型モノクロ画像表示領域５２Ｒ、５２Ｇ、５２Ｂの面積で補正することができるが、透過モードでのカラー画像が暗くなってしまう。
【００４５】
［実施の形態２］
図６（ａ）、（ｂ）はそれぞれ、本発明の実施の形態２に係る電気光学装置に用いた電気光学装置用基板の一部を拡大して模式的に示す平面図、およびＢ３−Ｂ３′線で相当する位置で電気光学装置１を切断したときの様子を模式的に示す断面図である。なお、本形態の電気光学装置は、基本的な構成が実施の形態１と同様であるため、共通する機能を有する部分には同一の符号を付してそれらの詳細な説明を省略する。
【００４６】
実施の形態１では、第２透明基板２０の液晶層８の側（観察側）の面に、下地層２２、反射層２３、３色のカラーフィルタ層２５Ｒ、２５Ｇ、２５Ｂ、平坦化膜２６、走査線２７、および配向膜２８を第２透明基板２０の側からこの順に積層したが、本形態では、図６（ａ）、（ｂ）に示すように、第２透明基板２０の液晶層８の側（観察側）の面に、３色のカラーフィルタ層２５Ｒ、２５Ｇ、２５Ｂ、下地層２２、反射層２３、平坦化膜２６、走査線２７、および配向膜２８を第２透明基板２０の側からこの順に積層してある。
【００４７】
ここで、下地層２２は、サブ画素５の略中央に樹脂が完全に除去された開口部２２１を備えており、反射層２３は、下地層２２の開口２２１に相当する部分が除去された光透過部２３１を備えている。従って、３色のカラーフィルタ層２５Ｒ、２５Ｇ、２５Ｂは、サブ画素５Ｒ、５Ｇ、５Ｂの全面に形成されているが、反射層２３の光透過部２３１のみから露出した状態にあり、その他の領域では、反射層２３で覆われている。このため、３色のカラーフィルタ層２５Ｒ、２５Ｇ、２５Ｂは、実質的には、光透過部２３１と平面的に重なる領域のみに形成された状態にある。
【００４８】
従って、本形態でも、実施の形態１と同様、サブ画素５Ｒ、５Ｇ、５Ｂには、光透過部２３１およびカラーフィルタ層２５Ｒ、２５Ｇ、２５Ｂが形成された領域によって透過モードでカラー画像を表示するための透過型カラー画像表示領域５１Ｒ、５１Ｇ、５１Ｂが形成されている。また、サブ画素５Ｒ、５Ｇ、５Ｂには、カラーフィルタ層２５Ｒ、２５Ｇ、２５Ｂが形成されていない光反射層２３によって、反射モードでモノクロ画像を表示するための反射型モノクロ画像表示領域５２Ｒ、５２Ｇ、５２Ｂが形成されている。
【００４９】
また、本形態でも、実施の形態１と同様、緑色と、赤色や青色との視感度を差が反射モードで表示されるモノクロ画像への影響を補正することを目的に、緑色に対応するサブ画素５Ｇにおける反射型モノクロ画像表示領域５２Ｇの面積は、赤色および青色に対応するサブ画素５Ｒ、５Ｂにおける反射型モノクロ画像表示領域５２Ｒ、５２Ｂの面積よりも広い。すなわち、緑色に対応する視感度と、赤色や青色に対応する視感度の差に対応させて、緑色に対応するサブ画素５Ｇにおける反射型モノクロ画像表示領域５２Ｇの面積は、赤色および青色に対応するサブ画素５Ｒ、５Ｂにおける反射型モノクロ画像表示領域５２Ｒ、５２Ｂの面積の１．２倍から１．６倍である。
【００５０】
これに対して、緑色に対応するサブ画素５Ｇにおける透過型カラー画像表示領域５１Ｇの面積は、赤色や青色に対応するサブ画素５Ｒ、５Ｂにおける透過型カラー画像表示領域５１Ｒ、５１Ｂの面積と略等しい。従って、緑色に対応するサブ画素５Ｇの面積は、赤色および青色に対応するサブ画素５Ｒ、５Ｂの面積よりも広い。
【００５１】
また、赤色や青色に対応するサブ画素５Ｒ、５Ｂにおける透過型カラー画像表示領域５１Ｒ、１２Ｂの面積は、互いに等しい。同様に、赤色や青色に対応するサブ画素５Ｒ、５Ｂにおける反射型モノクロ画像表示領域５２Ｒ、５２Ｂの面積は、互いに等しい。例えば、赤色に対応するサブ画素５Ｒにおける反射型モノクロ画像表示領域５２Ｒの面積は、青色に対応するサブ画素５Ｂにおける反射型モノクロ画像表示領域５２Ｂの面積の０．９倍から１．１倍である。すなわち、赤色と青色は視感度が同等であるため、赤色と青色の間で透過型カラー画像表示領域５１Ｒ、５１Ｂの面積を各々略等しく設定し、反射型モノクロ画像表示領域５２Ｒ、５２Ｂの面積についても各々略等しく設定してある。
【００５２】
従って、本形態の電気光学装置１でも、実施の形態１と同様、カラー画像を表示しているときの階調設定のままで反射モードでモノクロ画像を表示した場合でも、緑色の視感度と、赤色や青色の視感度との差を反射型モノクロ画像表示領域５２Ｒ、５２Ｇ、５２Ｂの面積で補正することができる。それ故、カラー画像を表示しているときの階調設定のままで反射モードでモノクロ画像を表示した場合でも、カラー画像を表示しているときと比較して緑色のサブ画素での輝度が低いように見えてしまうことを回避できるので、自然な、品位の高いモノクロ画像を表示することができる。また、サブ画素５Ｒ、５Ｇ、５Ｂにおける透過型カラー画像表示領域５１Ｒ、５１Ｇ、５１Ｂの面積が互いに等しい。従って、透過モードでも明るくて自然なカラー画像を表示することができる。
【００５３】
また、本形態では、第２透明基板２０の液晶８側（観察側）の面には、３色のカラーフィルタ層２５Ｒ、２５Ｇ、２５Ｂ、開口部２２１を備えた下地層２２、光透過部２３１を備えた反射層２３、平坦化膜２６、走査線２７、および配向膜２８が第２透明基板２０の側からこの順に積層されており、３色のカラーフィルタ層２５Ｒ、２５Ｇ、２５Ｂは、実質的には、光透過部２３１と平面的に重なる領域のみに形成された状態にある。従って、カラーフィルタ層２５Ｒ、２５Ｇ、２５Ｂは、透過型カラー画像表示領域５１Ｒ、５１Ｇ、５１Ｂから反射型モノクロ表示領域５２Ｒ、５２Ｇ、５２Ｂの側に一切はみ出していないので、反射型モノクロ表示領域５２Ｒ、５２Ｇ、５２Ｂで反射して出射される光量がカラーフィルタ層２５Ｒ、２５Ｇ、２５Ｂで損失するのを防止できる。それ故、本形態によれば、反射モードで明るいモノクロ画像を表示することができる。
【００５４】
また、カラーフィルタ層２５Ｒ、２５Ｇ、２５Ｂの形成位置がずれた場合でも、バックライトユニット９からの光がカラーフィルタ層２５Ｒ、２５Ｇ、２５Ｂを透過せずに出射されることがない。それ故、透過型カラー画像表示領域５１Ｒ、５１Ｇ、５１Ｂと反射型モノクロ表示領域５２Ｒ、５２Ｇ、５２Ｂとの境界領域からの光の漏れが発生しないので、色抜けが発生せず、品位の高いカラー画像を表示することができる。なお、図６（ｂ）に示す構造は、図５（ａ）、（ｂ）を参照して説明した構造にも適用することができる。
【００５５】
［その他の実施の形態］
上記形態では、透過型カラー画像表示領域５１Ｒ、５１Ｇ、５１Ｂと反射型モノクロ表示領域５２Ｒ、５２Ｇ、５２Ｂでは、液晶層８の厚さが同等であるが、例えば、透過型カラー画像表示領域５１Ｒ、５１Ｇ、５１Ｂと反射型モノクロ表示領域５２Ｒ、５２Ｇ、５２Ｂで平坦化膜２６の厚さを変えて、あるいは平坦化膜２６の有無により、透過型カラー画像表示領域５１Ｒ、５１Ｇ、５１Ｂでは液晶層８を厚く、反射型モノクロ表示領域５２Ｒ、５２Ｇ、５２Ｂでは液晶層８を薄くしてもよい。このように構成すると、反射モードでは、光が液晶層８を２回通過するのに対して、透過モードでは、光が液晶層８を１回しか通過しない場合でも、透過型カラー画像表示領域５１Ｒ、５１Ｇ、５１Ｂと反射型モノクロ表示領域５２Ｒ、５２Ｇ、５２Ｂとでリタデーションを最適化することができる。
【００５６】
なお、上記実施の形態では、表示光が出射される側に第１透明基板１０（素子基板）が配置され、その反対側に第２透明基板２０（カラーフィルタ基板）が配置されていたが、表示光が出射される側に第２透明基板２０（カラーフィルタ基板）が配置され、その反対側に第１透明基板１０（素子基板）が配置される構成であってもよい。この場合、第１透明基板１０の側に光反射層を形成すればよい。
【００５７】
また、上記形態では、アクティブ素子としてＴＦＤ素子を用いた液晶パネルを備えた電気光学装置を例に説明したが、アクティブ素子としてＴＦＴを用いた液晶パネルを備えた電気光学装置などに本発明を適用してもよい。また、横電界駆動方式の液晶表示装置に本発明を適用しても良い。また、アクティブ素子を持たないパッシブ型液晶パネルでも良い。また、上記実施の形態では、カラー表示用のサブ画素を、赤（Ｒ）、緑（Ｇ）、青（Ｂ）に対応させたが、赤（Ｒ）、緑（Ｇ）、青（Ｂ）以外、例えば、イエロー、シアン、マゼンタなどに対応させても良く、いずれの場合でも、色間の視感度の差を本発明により、補正すればよい。
【００５８】
［電子機器への搭載例］
図７（ａ）、（ｂ）は、本発明を適用した電子機器の一例としての折り畳み式携帯電話機を折り畳んだ状態、および開いた状態の説明図である。
【００５９】
本発明を適用した電気光学装置は、例えば、図７（ａ）、（ｂ）に示す携帯電話機３００に用いられる。この携帯電話３００では、蓋体３３０がヒンジ部３４０を介して操作本体３５０に回動自在に連結されている。携帯電話機３００は、蓋体３３０を開いたときに蓋体３３０の内側で画像を表示するメイン表示部３１１を備える一方、蓋体３３０の外側には、蓋材３３０を操作本体３５０に折り重ねたときに画像を表示するサブ表示部３２１を備えている。このような折り畳み式の携帯電話機３００に本発明を適用するにあたっては、例えば、メイン表示部３１１を構成する電気光学装置の本発明を適用する。
【００６０】
なお、本発明を適用した電気光学装置１は、上記携帯電話機の他、モバイルコンピュータ、デジタルカメラ、ムービーカメラ、車載機器、オーディオ機器、プロジェクタなどの各種電子機器に用いることができる。
【図面の簡単な説明】
【００６１】
【図１】本発明に係る電気光学装置の電気的構成を示すブロック図である。
【図２】（ａ）、（ｂ）は、本発明の実施の形態１に係る電気光学装置（液晶装置）の斜視図および断面図である。
【図３】図２に示す電気光学装置の概略構成を示す分解斜視図である。
【図４】（ａ）、（ｂ）はそれぞれ、本発明の実施の形態１に係る電気光学装置に用いた電気光学装置用基板の一部を拡大して模式的に示す平面図、およびＢ２−Ｂ２′線で相当する位置で電気光学装置を切断したときの様子を模式的に示す断面図である。
【図５】（ａ）、（ｂ）はそれぞれ、本発明の参考例に係る電気光学装置に用いた電気光学装置用基板の一部を拡大して模式的に示す平面図、およびＢ１−Ｂ１′線で相当する位置で電気光学装置を切断したときの様子を模式的に示す断面図である。
【図６】（ａ）、（ｂ）はそれぞれ、本発明の実施の形態２に係る電気光学装置に用いた電気光学装置用基板の一部を拡大して模式的に示す平面図、およびＢ３−Ｂ３′線で相当する位置で電気光学装置を切断したときの様子を模式的に示す断面図である。
【図７】（ａ）、（ｂ）は、本発明を適用した電子機器の一例としての折り畳み式携帯電話機を折り畳んだ状態、および開いた状態の説明図である。
【符号の説明】
【００６２】
１  電気光学装置、２  液晶パネル、５、５Ｒ、５Ｇ、５Ｂ  サブ画素、８  液晶層（電気光学物質層）、１０  第１透明基板、１７  データ線、２０  第２透明基板、２１  電気光学装置用基板、２２  下地層、２３  反射層、２５Ｒ、２５Ｇ、２５Ｂ  カラーフィルタ層、２９  遮光層、５１Ｒ、５１Ｇ、５１Ｂ  透過型カラー画像表示領域、５２Ｒ、５２Ｇ、５２Ｂ  反射型モノクロ画像表示領域、２２１  下地層の開口部、２３１  反射層の光透過部
【図１】
2006098452.tif 000003
【図２】
2006098452.tif 000004
【図３】
2006098452.tif 000005
【図４】
2006098452.tif 000006
【図５】
2006098452.tif 000007
【図６】
2006098452.tif 000008
【図７】
2006098452.tif 000009